【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
ユーザデバイスを制御する方法であって、
アクティブなアプリケーションを有する前記ユーザデバイスのハンズオフ状態を周期的に検出するステップと、
前記ユーザデバイスの前記ハンズオフ状態を検出したことに基づいて、前記ユーザデバイスと別のデバイスとの間の接続が存在するか否かを検出するステップと、
前記ユーザデバイスと別のデバイスとの間の接続の不在を検出したことに基づいて、前記ユーザデバイスへの圧力の印加が存在するか否かを検出するステップと、
前記ユーザデバイスの前記ハンズオフ状態を検出したこと、前記ユーザデバイスと別のデバイスとの間の接続の不在を検出したこと、および前記ユーザデバイスへの圧力の印加の不在を検出したことに基づいて、前記ユーザデバイスを低消費電力モードに遷移させるステップと
を有する方法。
【請求項２】
前記ユーザデバイスへの圧力の印加が、間隔を空けた圧力印加の所定のシーケンスを含む、請求項１に記載の方法。
【請求項３】
前記ユーザデバイスのハンズオフ状態を周期的に検出する前記ステップが、前記ユーザデバイスのハウジングの複数の縁部に沿ったタッチの不在を検出するステップを含む、請求項１に記載の方法。
【請求項４】
前記ハウジングの複数の縁部が、隣り合う縁部または反対側にある縁部の一方に対応する少なくとも２つの縁部を含む、請求項３に記載の方法。
【請求項５】
ハンズオフ状態の検出間の周期性に適応性がある、請求項１に記載の方法。
【請求項６】
前記ユーザデバイスを低消費電力モードに遷移させる前記ステップが、前記ユーザデバイスの出力を減少させるステップと、前記アクティブなアプリケーションを非アクティブ化するステップと、前記ユーザデバイスをパワーダウンさせるステップとのうちの１つまたは複数を含む、請求項１に記載の方法。
【請求項７】
ユーザデバイスであって、
アクティブなアプリケーションを有するユーザデバイスのハンズオフ状態を周期的に検出するための手段と、
ユーザデバイスの前記ハンズオフ状態を検出したことに基づいて、ユーザデバイスと別のデバイスとの間の接続が存在するか否かを検出するための手段と、
ユーザデバイスと別のデバイスとの間の接続の不在を検出したことに基づいて、ユーザデバイスへの圧力の印加が存在するか否かを検出するための手段と、
ユーザデバイスの前記ハンズオフ状態を検出したこと、ユーザデバイスと別のデバイスとの間の接続の不在を検出したこと、およびユーザデバイスへの圧力の印加の不在を検出したことに基づいて、ユーザデバイスを低消費電力モードに遷移させるための手段と
を具備するユーザデバイス。
【請求項８】
ユーザデバイスへの圧力の印加が、間隔を空けた圧力印加の所定のシーケンスを含む、請求項７に記載のユーザデバイス。
【請求項９】
ユーザデバイスのハンズオフ状態を周期的に検出するための前記手段が、ユーザデバイスのハウジングの複数の縁部に沿ったタッチの不在を検出するように構成されている、請求項７に記載のユーザデバイス。
【請求項１０】
前記ハウジングの複数の縁部が、隣り合う縁部または反対側にある縁部の一方に対応する少なくとも２つの縁部を含む、請求項９に記載のユーザデバイス。
【請求項１１】
ユーザデバイスを低消費電力モードに遷移させるための前記手段が、ユーザデバイスの出力を減少させるように、前記アクティブなアプリケーションを非アクティブ化するように、および／またはユーザデバイスをパワーダウンさせるように構成されている、請求項７に記載のユーザデバイス。
【請求項１２】
ユーザデバイスであって、
メモリと、
前記メモリに接続された少なくとも１つのプロセッサと
を具備し、
前記少なくとも１つのプロセッサは、
アクティブなアプリケーションを有するユーザデバイスのハンズオフ状態を周期的に検出し、
ユーザデバイスの前記ハンズオフ状態を検出したことに基づいて、ユーザデバイスと別のデバイスとの間の接続が存在するか否かを検出し、
ユーザデバイスと別のデバイスとの間の接続の不在を検出したことに基づいて、ユーザデバイスへの圧力の印加が存在するか否かを検出し、
ユーザデバイスの前記ハンズオフ状態を検出したこと、ユーザデバイスと別のデバイスとの間の接続の不在を検出したこと、およびユーザデバイスへの圧力の印加の不在を検出したことに基づいて、ユーザデバイスを低消費電力モードに遷移させる
ように構成されている、ユーザデバイス。
【請求項１３】
ユーザデバイスへの圧力の印加が、間隔を空けた圧力印加の所定のシーケンスを含む、請求項１２に記載のユーザデバイス。
【請求項１４】
前記少なくとも１つのプロセッサが、ユーザデバイスのハウジングの複数の縁部に沿ったタッチの不在を検出することによって、ユーザデバイスのハンズオフ状態を周期的に検出する、請求項１２に記載のユーザデバイス。
【請求項１５】
前記ハウジングの複数の縁部が、隣り合う縁部または反対側にある縁部の一方に対応する少なくとも２つの縁部を含む、請求項１４に記載のユーザデバイス。
【請求項１６】
前記少なくとも１つのプロセッサが、ユーザデバイスの出力を減少させること、前記アクティブなアプリケーションを非アクティブ化すること、またはユーザデバイスをパワーダウンさせることによって、ユーザデバイスを低消費電力モードに遷移させる、請求項１２に記載のユーザデバイス。
【請求項１７】
ユーザデバイスのためのコンピュータ実行可能なコードを格納したコンピュータ読み取り可能な記録媒体であって、
前記コンピュータ実行可能なコードは、
アクティブなアプリケーションを有する前記ユーザデバイスのハンズオフ状態を周期的に検出するためのコードと、
前記ユーザデバイスの前記ハンズオフ状態を検出したことに基づいて、前記ユーザデバイスと別のデバイスとの間の接続が存在するか否かを検出するためのコードと、
前記ユーザデバイスと別のデバイスとの間の接続の不在を検出したことに基づいて、前記ユーザデバイスへの圧力の印加が存在するか否かを検出するためのコードと、
前記ユーザデバイスの前記ハンズオフ状態を検出したこと、前記ユーザデバイスと別のデバイスとの間の接続の不在を検出したこと、および前記ユーザデバイスへの圧力の印加の不在を検出したことに基づいて、前記ユーザデバイスを低消費電力モードに遷移させるためのコードと
を含む、コンピュータ読み取り可能な記録媒体。
【請求項１８】
前記ユーザデバイスへの圧力の印加が、間隔を空けた圧力印加の所定のシーケンスを含む、請求項１７に記載のコンピュータ読み取り可能な記録媒体。
【請求項１９】
前記ユーザデバイスのハンズオフ状態を周期的に検出するための前記コードが、前記ユーザデバイスのハウジングの複数の縁部に沿ったタッチの不在を検出するためのコードを含む、請求項１７に記載のコンピュータ読み取り可能な記録媒体。
【請求項２０】
前記ハウジングの複数の縁部が、隣り合う縁部または反対側にある縁部の一方に対応する少なくとも２つの縁部を含む、請求項１９に記載のコンピュータ読み取り可能な記録媒体。
【請求項２１】
前記ユーザデバイスを低消費電力モードに遷移させるための前記コードが、前記ユーザデバイスの出力を減少させるためのコード、前記アクティブなアプリケーションを非アクティブ化するためのコード、および／または前記ユーザデバイスをパワーダウンさせるためのコードを含む、請求項１７に記載のコンピュータ読み取り可能な記録媒体。
【請求項２２】
ハンドヘルドユーザデバイスであって、
ハウジングと、
前記ハウジングの第１側面に関連した第１タッチセンサと、
前記ハウジングの前記第１側面に隣接するか、または前記ハウジングの前記第１側面の反対側にある、前記ハウジングの第２側面に関連した第２タッチセンサと、
プロセッサと
を具備し、
前記プロセッサは、
アクティブなアプリケーションを実行し、
前記第１タッチセンサおよび前記第２タッチセンサからの信号の不在に基づいて、ハンドヘルドユーザデバイスのハンズオフ状態を周期的に検出し、
ハンドヘルドユーザデバイスの前記ハンズオフ状態を検出したことに基づいて、ハンドヘルドユーザデバイスと別のデバイスとの間の接続が存在するか否かを検出し、
ハンドヘルドユーザデバイスと別のデバイスとの間の接続の不在を検出したことに基づいて、ハンドヘルドユーザデバイスへの圧力の印加が存在するか否かを検出し、
ハンドヘルドユーザデバイスの前記ハンズオフ状態を検出したこと、ハンドヘルドユーザデバイスと別のデバイスとの間の接続の不在を検出したこと、およびハンドヘルドユーザデバイスへの圧力の印加の不在を検出したことに基づいて、ハンドヘルドユーザデバイスを低消費電力モードに遷移させる
ように構成されている、ハンドヘルドユーザデバイス。
【請求項２３】
ハンドヘルドユーザデバイスへの圧力の印加が、間隔を空けた圧力印加の所定のシーケンスを含む、請求項２２に記載のハンドヘルドユーザデバイス。
【請求項２４】
前記プロセッサが、ハンドヘルドユーザデバイスの出力を減少させる、前記アクティブなアプリケーションを非アクティブ化する、またはハンドヘルドユーザデバイスをパワーダウンさせることによって、ハンドヘルドユーザデバイスを低消費電力モードに遷移させる、請求項２２に記載のハンドヘルドユーザデバイス。